(57)【要約】【課題】油汚れの洗浄に用いられる洗浄剤組成物であって、泡立ちを抑制することで排水処理の負荷を低減し、油分の分散性を高めることで洗浄装置などへの油分の再付着を防止し、高粘性油分に対しても高い洗浄性を有する油汚れ用洗浄剤組成物の提供。【解決手段】（Ａ）請求項１の式（１）で示される化合物を７０〜９０質量％、（Ｂ）請求項１の式（２）で示されるＨＬＢが３〜６の化合物を５〜１５質量％、および（Ｃ）請求項１の式（３）で示されるＨＬＢが１４〜１８の化合物を５〜１５質量％含有する油汚れ用洗浄剤組成物。【選択図】なし【特許請求の範囲】
【請求項１】
（Ａ）式（１）で示される化合物を７０〜９０質量％、（Ｂ）式（２）で示されるＨＬＢが３〜６の化合物を５〜１５質量％、および（Ｃ）式（３）で示されるＨＬＢが１４〜１８の化合物を５〜１５質量％含有する油汚れ用洗浄剤組成物。
Ｒ１−Ｏ−（Ａ１Ｏ）ａ−Ｈ  ・・・（１）
（式（１）中、Ｒ１は炭素数６〜１０の分岐鎖アルキル基、Ａ１Ｏは炭素数２〜３のオキシアルキレン基を示し、ａはオキシアルキレン基の平均付加モル数でありａ＝２〜１５である。）
Ｒ２−Ｏ−（Ａ２Ｏ）ｂ−Ｈ  ・・・（２）
（式（２）中、Ｒ２は炭素数１２〜２０の直鎖もしくは分岐鎖のアルキル基または炭素数１２〜２０の直鎖もしくは分岐鎖のアルケニル基、Ａ２Ｏは炭素数２〜３のオキシアルキレン基を示し、ｂはオキシアルキレン基の平均付加モル数でありｂ＝１〜２０である。）
Ｒ３−Ｏ−（ＥＯ）ｃ−Ｈ  ・・・（３）
（式（３）中、Ｒ３は炭素数１２〜２０の直鎖もしくは分岐鎖のアルキル基または炭素数１２〜２０の直鎖もしくは分岐鎖のアルケニル基を示し、ＥＯはオキシエチレン基、ｃはオキシエチレン基の平均付加モル数でありｃ＝１１〜５０である。）
【発明の詳細な説明】
【技術分野】
【０００１】
本発明は、液体油、変性油脂、グリース等の油汚れを除去するために用いられる油汚れ用洗浄剤組成物に関する。
【背景技術】
【０００２】
金属加工業やめっき業における脱脂や、水処理フィルターの洗浄など、油汚れの除去を目的とした洗浄は広く行われており、被洗浄物の材質は金属やセラミック、プラスチック、ガラス等、多岐に渡る。また、除去の対象となる油においても、液体油、変性油脂、グリース等、性状は様々である。
このような油汚れの洗浄剤として、例えば特許文献１には炭素数１〜６のアルキル基を有する非イオン界面活性剤、アニオン界面活性剤、炭化水素、水を含む組成物が開示され、特許文献２には炭素数３〜９の分岐鎖アルキル基を有する非イオン界面活性剤、炭素数１〜９の直鎖アルキル基を有する非イオン界面活性剤、アニオン界面活性剤、炭化水素、水を含む組成物が開示されている。
しかしながら、これらの組成物では、洗浄性は高いものの、洗浄時に泡立ってしまい、洗浄装置の排水処理に負荷をかけることがある。
【０００３】
また、特許文献３には炭素数８〜１０の分岐鎖アルキル基を有する非イオン界面活性剤、有機溶剤、水を含む組成物が開示されている。
しかしながら、本組成物では、有機溶剤の効果も相まって変性油の汚れ除去には優れるものの、洗浄液中への油の分散性に劣り、洗浄装置の液面接触部や被洗浄物に汚れが再度付着することがある。
【０００４】
さらに特許文献４には、オキシエチレン基やオキシプロピレン基を有する非イオン界面活性剤とアニオン界面活性剤を含む組成物が開示されている。
しかしながら、本組成物では、液体油の洗浄には優れるものの、高粘性油分に対して洗浄効果を発揮するためには５０℃以上の高温が必要であり、５０℃未満においては、高粘性油分の除去効果が低いことがあり、また細部の洗浄に対しても洗浄効果が低いことがある。さらに、洗浄液中への油の分散性に劣り、洗浄装置の液面接触部に汚れが再度付着することがある。
このように、低泡性を示しつつ、洗浄液への油分の分散性を高めることで被洗浄物や洗浄装置などへの油分の再付着を防止し、高粘性油分に対しても洗浄性を発揮することができる油汚れ用洗浄剤組成物が求められている。
【先行技術文献】
【特許文献】
【０００５】
【特許文献１】特開２００８−１４０８５５号公報
【特許文献２】特開平１１−３２３３８２号公報
【特許文献３】特開２００８−１１１１４０号公報
【特許文献４】特開平８−７３８９０号公報
【発明の概要】
【発明が解決しようとする課題】
【０００６】
本発明が解決しようとする課題は、油汚れの洗浄に用いられる洗浄剤組成物であって、泡立ちを抑制することで排水処理の負荷を低減し、油分の分散性を高めることで洗浄装置などへの油分の再付着を防止し、高粘性油分に対しても高い洗浄性を有する油汚れ用洗浄剤組成物を提供することである。
【課題を解決するための手段】
【０００７】
上記課題を解決するため、本発明者が鋭意検討した結果、分岐鎖アルキル基を有する非イオン界面活性剤と、ＨＬＢ（親水親油バランス）の異なる２種類の非イオン界面活性剤とを組み合わせて用いることによって、泡立ちを抑制することで排水処理の負荷を低減し、油分の分散性を高めることで洗浄装置などへの油分の再付着を防止し、高粘性油分に対しても高い洗浄性を有する油汚れ用洗浄剤組成物が得られることを見出し、本発明の完成に至ったものである。
【０００８】
すなわち本発明は、（Ａ）式（１）で示される化合物を７０〜９０質量％、（Ｂ）式（２）で示されるＨＬＢが３〜６の化合物を５〜１５質量％、および（Ｃ）式（３）で示されるＨＬＢが１４〜１８の化合物を５〜１５質量％含有する油汚れ用洗浄剤組成物である。
【０００９】
Ｒ１−Ｏ−（Ａ１Ｏ）ａ−Ｈ  ・・・（１）
（式（１）中、Ｒ１は炭素数６〜１０の分岐鎖アルキル基、Ａ１Ｏは炭素数２〜３のオキシアルキレン基を示し、ａはオキシアルキレン基の平均付加モル数でありａ＝２〜１５である。）
【００１０】
Ｒ２−Ｏ−（Ａ２Ｏ）ｂ−Ｈ  ・・・（２）
（式（２）中、Ｒ２は炭素数１２〜２０の直鎖もしくは分岐鎖のアルキル基または炭素数１２〜２０の直鎖もしくは分岐鎖のアルケニル基、Ａ２Ｏは炭素数２〜３のオキシアルキレン基を示し、ｂはオキシアルキレン基の平均付加モル数でありｂ＝１〜２０である。）
【００１１】
Ｒ３−Ｏ−（ＥＯ）ｃ−Ｈ  ・・・（３）
（式（３）中、Ｒ３は炭素数１２〜２０の直鎖もしくは分岐鎖のアルキル基または炭素数１２〜２０の直鎖もしくは分岐鎖のアルケニル基を示し、ＥＯはオキシエチレン基、ｃはオキシエチレン基の平均付加モル数でありｃ＝１１〜５０である。）
【発明の効果】
【００１２】
本発明の油汚れ用洗浄剤組成物は、油汚れの洗浄時に用いられる洗浄剤組成物であって、泡立ちを抑制することで排水処理の負荷を低減し、油分の分散性を高めることで洗浄装置などへの油分の再付着を防止し、高粘性油分に対しても高い洗浄性を示すという効果を奏する。
【発明を実施するための形態】
【００１３】
以下、本発明の実施形態を説明する。
本発明の油汚れ用洗浄剤組成物（以下、単に「洗浄剤組成物」ともいう。）は、成分（Ａ）、（Ｂ）、（Ｃ）を含有し、各成分（Ａ）〜（Ｃ）の合計は１００質量％である。以下、各成分について説明する。
【００１４】
〔成分（Ａ）〕
成分（Ａ）は下記の式（１）で示される化合物であり、成分（Ａ）として式（１）で示される化合物を１種または２種以上用いることができる。式（１）で示される化合物を用いることにより、浸透性を向上させ、高粘性油分に対して高い洗浄性を示すとともに、低泡性を向上させることができる。
【００１５】
Ｒ１−Ｏ−（Ａ１Ｏ）ａ−Ｈ  ・・・（１）
【００１６】
式（１）中のＲ１は、炭素数６〜１０の分岐鎖アルキル基を示し、例えば、イソオクチル基、２−エチルヘキシル基、イソノニル基、３，５，５−トリメチルヘキシル基、イソデシル基等が挙げられる。特に炭素数８〜９の分岐鎖アルキル基が好ましい。Ｒ１の炭素数が小さすぎる場合や、大きすぎる場合、浸透性に劣り、高粘性油分に対する洗浄性が低下することがある。
【００１７】
Ａ１Ｏは炭素数２〜３のオキシアルキレン基を示し、ａはオキシアルキレン基の平均付加モル数でありａ＝２〜１５である。このポリオキシアルキレン鎖は同一のオキシアルキレン基が単独で付加して形成されていても良く、２種のオキシアルキレン基が混合して付加して形成されていても良い。特に、オキシエチレン基が単独で付加している化合物と、オキシエチレン基とオキシプロピレン基の２種が混合付加している化合物との２種類を少なくとも組み合わせることが好ましい。さらに、オキシエチレン基とオキシプロピレン基の混合付加化合物の付加形態がＲ１−Ｏ−ＥＯ−ＰＯ−Ｈの順にブロック付加していることが特に好ましい。
また、オキシエチレン基が単独で付加している化合物においてはａ＝２〜６が好ましく、オキシエチレン基とオキシプロピレン基の混合付加化合物においてはａ＝５〜１０が好ましい。
さらに、オキシエチレン基とオキシプロピレン基の混合付加化合物において、オキシエチレン基の平均付加モル数をａ’、オキシプロピレン基の平均付加モル数をａ’’とした場合、ａ’／ａ’’が０．５〜１．５であることが特に好ましい。これらの範囲の化合物を選択することで、浸透性をさらに高め、高粘性油分に対してより優れた洗浄性を達成するとともに、低泡性により優れた組成物を得ることができる。
【００１８】
なお、成分（Ａ）のＨＬＢに規定はないが、好ましくはＨＬＢが４〜１３である。
【００１９】
本発明の洗浄剤組成物における成分（Ａ）の含有量は、７０〜９０質量％であり、好ましくは７５〜８５質量％である。成分（Ａ）の含有量が少なすぎる場合、浸透性や低泡性に劣ることがあり、（Ａ）成分の含有量が多すぎる場合、油分の分散性に劣り、被洗浄物や洗浄装置などに汚れが再度付着することがある。
【００２０】
〔成分（Ｂ）〕
成分（Ｂ）は下記の式（２）で示される化合物であり、成分（Ｂ）として式（２）で示される化合物を１種または２種以上用いることができる。式（２）で示される化合物を用いることにより、油分の分散性を向上させ、被洗浄物や洗浄装置などへの汚れの再付着を防止することができる。
【００２１】
Ｒ２−Ｏ−（Ａ２Ｏ）ｂ−Ｈ  ・・・（２）
【００２２】
式（２）中のＲ２は、炭素数１２〜２０の直鎖もしくは分岐鎖のアルキル基または炭素数１２〜２０の直鎖もしくは分岐鎖のアルケニル基を示し、好ましくは炭素数１２〜１４のアルキル基または炭素数１２〜１４のアルケニル基である。
Ｒ２の炭素数が小さすぎる場合、油分の分散性に劣り、被洗浄物や洗浄装置などに汚れが再度付着することがある。一方、Ｒ２の炭素数が大きすぎる場合、水に対する相溶性が低下するので、洗浄性が低下することがある。
【００２３】
Ａ２Ｏは炭素数２〜３のオキシアルキレン基を示し、ｂはオキシアルキレン基の平均付加モル数でありｂ＝１〜２０である。ｂが２以上の場合、ポリオキシアルキレン鎖は同一のオキシアルキレン基が単独で付加していても、２種の異なるオキシアルキレン基が混合して付加していても良い。好ましくは、オキシエチレン基とオキシプロピレン基の２種が混合付加している化合物であり、特に好ましくは、オキシエチレン基とオキシプロピレン基の混合付加形態がＲ２−Ｏ−ＰＯ−ＥＯ−Ｈの順にブロック付加している化合物である。
さらに、オキシエチレン基とオキシプロピレン基の混合付加化合物において、オキシエチレン基の平均付加モル数をｂ’、オキシプロピレン基の平均付加モル数をｂ’’とした場合、ｂ’／ｂ’’が０．５〜０．８であることが特に好ましい。
【００２４】
上記の式（２）で示される化合物はＨＬＢが３〜６である。ＨＬＢが低すぎる場合、水に対する相溶性が低下するので、洗浄性が低下することがある。なお、オキシアルキレン基の平均付加モル数ｂを適宜設定することによりＨＬＢが３〜６になるように調整することができる。
【００２５】
本発明の洗浄剤組成物における成分（Ｂ）の含有量は、５〜１５質量％であり、好ましくは７〜１３質量％である。成分（Ｂ）の含有量が少なすぎる場合、油分の分散性に劣り、被洗浄物や洗浄装置などに汚れが再度付着することがある。一方、成分（Ｂ）の含有量が多すぎる場合、水に対する相溶性が低下するので、洗浄性が低下することがある。
【００２６】
〔成分（Ｃ）〕
成分（Ｃ）は下記の式（３）で示される化合物であり、成分（Ｃ）として式（３）で示される化合物を１種または２種以上用いることができる。式（３）で示される化合物を用いることにより、油分の分散性を向上させ、被洗浄物や洗浄装置などへの汚れの再付着を防止することができる。
【００２７】
Ｒ３−Ｏ−（ＥＯ）ｃ−Ｈ  ・・・（３）
【００２８】
式（３）中のＲ３は、炭素数１２〜２０の直鎖もしくは分岐鎖のアルキル基または炭素数１２〜２０の直鎖もしくは分岐鎖のアルケニル基を示し、好ましくは炭素数１２〜１４のアルキル基または炭素数１２〜１４のアルケニル基である。
Ｒ３の炭素数が小さすぎる場合、油分の分散性に劣り、被洗浄物や洗浄装置などに汚れが再度付着することがある。一方、Ｒ３の炭素数が大きすぎる場合、水に対する相溶性が低下するので洗浄性が低下することがある。
【００２９】
ｃはオキシエチレン基の平均付加モル数であり、ｃ＝１１〜５０であり、好ましくはｃ＝１５〜４０であり、特に好ましくはｃ＝１５〜３０である。
【００３０】
上記の式（３）で示される化合物はＨＬＢが１４〜１８である。ＨＬＢが高すぎる場合、親水性が強くなることで浸透性や低泡性に劣ることがある。なお、オキシエチレン基の平均付加モル数ｃを適宜設定することによりＨＬＢが１４〜１８になるように調整することができる。
【００３１】
本発明の洗浄剤組成物における成分（Ｃ）の含有量は、５〜１５質量％であり、特に７〜１３質量％が好ましい。成分（Ｃ）の含有量が少なすぎる場合、油分の分散性に劣り、被洗浄物や洗浄装置などに汚れが再度付着することがある。一方、成分（Ｃ）の含有量が多すぎる場合、浸透性や低泡性に劣ることがある。
【００３２】
本発明の油汚れ用洗浄剤組成物は、通常、水に溶解させた水溶液として用いられる。油汚れに対する洗浄性、分散性を示すためには、成分（Ａ）、（Ｂ）、（Ｃ）を含有する本発明の洗浄剤組成物を、好ましくは０．１質量％以上、特に好ましくは０．５〜２．５質量％含有する水溶液であることが好ましい。
なお、水としては、例えば、上水や水道水、イオン交換水、精製水などを使用することができる。また、本発明の油汚れ用洗浄剤組成物を含有する水溶液を以下、油汚れ用洗浄液ともいう。
【００３３】
また、本発明の油汚れ用洗浄剤組成物を５質量％含有する水溶液の室温におけるｐＨは６〜８が好ましい。ｐＨが低すぎる場合、耐酸性に劣る材質に損傷を与えるおそれがあり、ｐＨが高すぎる場合、成分（Ａ）および成分（Ｂ）の水に対する相溶性が低下するために洗浄性が低下することがある。
【００３４】
本発明の油汚れ用洗浄液は、保存安定性を向上させるために、水溶性溶剤を含有していても良い。水溶性溶剤としては、例えば、３−メトキシ−１−ブタノール、３−メトキシ−３−メチル−１−ブタノール等のアルコール系溶剤；エチレングリコール、プロピレングリコール、ポリオキシエチレンポリオキシプロピレングリコール等のグリコール系溶剤；エチレングリコールモノブチルエーテル、ジエチレングリコールモノプロピルエーテル、ジエチレングリコールモノブチルエーテル等のグリコールエーテル系溶剤；等が挙げられ、これらの１種または２種以上が用いられる。水溶性溶剤としてはグリコール系溶剤が好ましく、プロピレングリコール、ポリオキシエチレンポリオキシプロピレングリコールが特に好ましい。
本発明の油汚れ用洗浄液が水溶性溶剤を含有する場合における水溶性溶剤の含有量は、油汚れ用洗浄液中、５〜２０質量％が好ましい。
【００３５】
本発明の油汚れ用洗浄液はキレート剤を含有していても良い。キレート剤としては、例えば、エチレンジアミンテトラ酢酸、シュウ酸、マロン酸、コハク酸、アジピン酸、フタル酸、クエン酸、マレイン酸、ケイ酸、グルコン酸、フマル酸、イミノジ酢酸等およびこれらの塩が挙げられ、これらの１種または２種以上が用いられる。キレート剤としては、エチレンジアミンテトラ酢酸、クエン酸およびこれらの塩が好ましい。
本発明の油汚れ用洗浄液がキレート剤を含有する場合におけるキレート剤の含有量は、油汚れ用洗浄液中、１〜１０質量％が好ましい。
【００３６】
本発明の油汚れ用洗浄液は、保存安定性を向上させるために、抗菌剤を含有していても良い。抗菌剤としては、例えば、安息香酸およびその塩、ウンデシレン酸およびその塩、ポリリジン、塩化ベンザルコニウム等が挙げられ、これらの１種または２種以上が用いられる。
本発明の油汚れ用洗浄液が抗菌剤を含有する場合における抗菌剤の含有量は、油汚れ用洗浄液中、０．０１〜０．１０質量％が好ましい。
【００３７】
本発明の油汚れ用洗浄剤組成物は、被洗浄物に付着した油汚れの洗浄剤として機能する。被洗浄物としては、例えば、金属、セラミック、プラスチック、ガラス等が挙げられる。
【実施例】
【００３８】
以下、実施例および比較例を挙げて本発明をさらに具体的に説明する。
【００３９】
＜油汚れ用洗浄剤組成物の調製＞
表１、表２、表３に示す成分（Ａ）、（Ｂ）、（Ｃ）を表４、表５に示す割合で混合して、油汚れ用洗浄剤組成物を調製した。なお、水希釈品のｐＨについては、成分（Ａ）、（Ｂ）、（Ｃ）の合計含有量が５質量％の水溶液で室温において測定し、いずれの組成物もｐＨ＝７であることを確認した。
【００４０】
【表１】
2018165306.tif 000002
【００４１】
【表２】
2018165306.tif 000003
【００４２】
【表３】
2018165306.tif 000004
【００４３】
＜油汚れ用洗浄剤組成物の評価＞
実施例と比較例について、下記の各試験を行った。結果を表４、表５に示す。
【００４４】
（１）分散性の評価（液体油分）
成分（Ａ）、（Ｂ）、（Ｃ）の合計含有量が０．５質量％となるように水を加えた油汚れ用洗浄液４９．５ｇに液体油としてＡ重油０．５ｇを加え、２５℃下、２分間撹拌した。静置５分後、Ａ重油の分散状態を観察した。
（評価基準）
◎：分層なし
○：若干の分層あり
×：分層あり
【００４５】
（２）洗浄性の評価（高粘性油分）
高真空用シリコーングリース（東レ・ダウコーニング社製）を約０．１ｇ塗布したステンレスの試験片を、成分（Ａ）、（Ｂ）、（Ｃ）の合計含有量が２．５質量％となるように水を加えた油汚れ用洗浄液に浸漬し、４０℃下、３０分間超音波洗浄した。洗浄後、試験片からのグリースの剥離率を観察した。
（評価基準）
◎：剥離率１００％
○：剥離率８０％以上１００％未満
×：剥離率８０％未満
【００４６】
（３）洗浄性の評価（高粘性油分・細部汚れ）
アスファルトをトルエンに溶解させた溶液に１００メッシュの金網を浸漬し、余分な液をろ紙に染み込ませて除き、送風乾燥でトルエンを除いた試験片を準備した。この試験片を、成分（Ａ）、（Ｂ）、（Ｃ）の合計含有量が０．５質量％となるように水を加えた油汚れ用洗浄液に浸漬し、４０℃下、２０分間超音波洗浄した。洗浄後、試験片からのアスファルトの剥離率および試験片へのアスファルトの再付着を観察した。
（評価基準）
［洗浄性］
◎：剥離率１００％
○：剥離率８０％以上１００％未満
×：剥離率８０％未満
［再付着］
○：再付着なし
×：再付着あり
【００４７】
（４）低泡性の評価
成分（Ａ）、（Ｂ）、（Ｃ）の合計含有量が０．５質量％となるように水を加えた油汚れ用洗浄液に関して、ＪＩＳ  Ｋ３３６２の手順に則り、４０℃における滴下直後の液面からの泡高さを測定した。
（評価基準）
◎：１００ｍｍ未満
○：１００ｍｍ以上、１２０ｍｍ未満
×：１２０ｍｍ以上
【００４８】
【表４】
2018165306.tif 000005
【００４９】
【表５】
2018165306.tif 000006
【００５０】
実施例１〜７は、いずれも洗浄性、油分の分散性、低泡性が良好であった。
一方、比較例１では、成分（Ａ）の含有量が少ないために浸透性が低下し、洗浄性が不十分であり、低泡性も不十分であった。
比較例２では、成分（Ｃ）が含まれていないので、細部汚れに対する洗浄性が不十分であり、油分の分散性が不十分であるため汚れの再付着が認められた。
比較例３では、成分（Ｂ）が含まれていないので、細部汚れに対する洗浄性と油分の分散性が不十分であった。
比較例４では、成分（Ａ）のアルキル基の炭素数が本発明の規定範囲外であるので、洗浄性、油分の分散性、および低泡性が不十分であった。
比較例５では、成分（Ｂ）のＨＬＢが本発明の規定範囲外である成分（Ａ−６）を用いているので、低泡性および細部汚れに対する洗浄性が不十分であった。また、油分の分散性が不十分であるため汚れの再付着が認められた。
比較例６では、成分（Ａ）のオキシアルキレン基の平均付加モル数が本発明の規定範囲外であるので、洗浄性、油分の分散性、および低泡性が不十分であった。
比較例７では、成分（Ｃ）のアルキル基の炭素数が本発明の規定範囲外である成分（Ａ−７）を用いているので、低泡性が不十分であり、また油分の分散性が不充分であるため汚れの再付着が認められた。